(57)【特許請求の範囲】
【請求項１】
光源と;
前記光源が発した光の一部を反射する正反射面と前記光源が発した光の他一部を反射する副反射面とを備えた第１の反射面と;
前記副反射面で反射した光を反射する第２の反射面と;
前記正反射面で反射した光を反射して液晶表示素子に照射すると共に、前記第２の反射面で反射した光を前記液晶表示素子に照射する第３の反射面と；
前記光源が発した光が、前記液晶表示素子に直接照射されることを防止するための遮光部と;を有し、
前記遮光部は、前記第１の反射面と前記第３の反射面との間に位置し、前記第２の反射面から離れた位置から、前記第２の反射面から離れる方向へ所定の長さで延びる第１の部位と、前記第１の部位の前記第２の反射面に対して反対側の端から、前記第１の反射面から離れる方向へ所定の長さで延びる第２の部位とで構成されている、
ことを特徴とする液晶表示装置の照明装置。
【請求項２】
請求項１に記載の液晶表示装置の照明装置において、
前記第２の部位の長さが前記第１の部位の長さよりも長くなっている、
ことを特徴とする液晶表示装置の照明装置。
【請求項３】
請求項１または請求項２に記載の液晶表示装置の照明装置において、
前記液晶表示素子は、平板状に形成されており、平板状の配線板に設置されるＬＣＤホルダを介し前記配線板と平行になるようにして、前記配線板に設置されるようになっており、
前記第１の反射面は、前記配線板に設置されたＬＣＤホルダで保持されている液晶表示素子である設置済み液晶表示素子の横方向では、前記設置済み液晶表示素子の両端部から離れ、前記設置済み液晶表示素子の厚さ方向では、前記液晶表示素子と前記配線板との間で、前記設置済み液晶表示素子の縦方向では、前記液晶表示素子に沿って、前記ＬＣＤホルダに形成されており、
前記第２の反射面は、前記配線板の、前記設置済み液晶表示素子に対向している面に設けられており、
前記第３の反射面は、所定形状の面をこの中心線のところで所定の角度だけ曲げた山形状に形成されており、前記設置済み液晶表示素子の厚さ方向から見たときに前記中心線が前記設置済み液晶表示素子の横方向の中心線と一致し、前記設置済み液晶表示素子側に凸になるようにして、前記設置済み液晶表示素子から離れ、前記配線板に設けられており、
前記光源は、前記第１の反射面の近傍で前記第１の反射面から離れて設けられている、
ことを特徴とする液晶表示装置の照明装置。
【請求項４】
請求項１〜請求項３のいずれか１項に記載の液晶表示装置の照明装置において、
前記副反射面は、１つの前記第１の反射面に対して複数形成されている、
ことを特徴とする液晶表示装置の照明装置。
【発明の詳細な説明】
【技術分野】
【０００１】
本発明は、液晶表示装置の照明装置に係り、光源が発した光を反射面で反射して液晶表示素子を照明するものに関する。
【背景技術】
【０００２】
図５は、従来の照明装置２００（図６参照）が使用されている液晶表示装置２０２が、自動車のスピードメータ２０４に設置されている状態を示す図である。
【０００３】
図５中の参照符号２０６は、速度を示す指針であり、参照符号２０８は文字板であり、参照符号２１０は文字板２０８に印刷された目盛りであり、参照符号２１２は、トリップノブであり、参照符号２１４は、ウォーニングランプである。
【０００４】
液晶表示装置２０２は、図６や図７で示すように、配線板２１６とＬＣＤホルダ２１８と液晶表示素子２２２とを備えている。なお、ＬＣＤホルダ２１８は、スピードメータ２０４のケース２２８（図５参照）とは別体で構成されている。
【０００５】
液晶表示装置２０２の照明装置２００では、ＬＣＤホルダ２１８の両側にＬＥＤ２２０を設け、ＬＣＤホルダ２１８や配線板２１６の一部に反射面２２４，２２６を設けてあり、ＬＥＤ２２０が発した光を、直接的もしくは間接的に、液晶表示素子２２２に導いている。
【０００６】
なお、従来の技術に関連する特許文献として、たとえば、特許文献１を掲げることができる。
【先行技術文献】
【特許文献】
【０００７】
【特許文献１】特開２００５−２４３０６号公報
【発明の概要】
【発明が解決しようとする課題】
【０００８】
ところで、上記従来の照明装置２００では、単に反射面２２４，２２６を設けた構成であるので、液晶表示素子２２２に照射される光量にばらつきが生じ、液晶表示素子２２２において輝度ムラが発生するという問題がある。
【０００９】
本発明は、上記問題点に鑑みてなされたものであり、液晶表示素子での輝度ムラの発生を極力防止することができる液晶表示装置の照明装置を提供することを目的とする。
【課題を解決するための手段】
【００１０】
請求項１に記載の発明は、光源と、前記光源が発した光の一部を反射する正反射面と前記光源が発した光の他一部を反射する副反射面とを備えた第１の反射面と、前記副反射面で反射した光を反射する第２の反射面と、前記正反射面で反射した光を反射して液晶表示素子に照射すると共に、前記第２の反射面で反射した光を前記液晶表示素子に照射する第３の反射面と、前記光源が発した光が、前記液晶表示素子に直接照射されることを防止するための遮光部とを有し、前記遮光部は、前記第１の反射面と前記第３の反射面との間に位置し、前記第２の反射面から離れた位置から、前記第２の反射面から離れる方向へ所定の長さで延びる第１の部位と、前記第１の部位の前記第２の反射面に対して反対側の端から、前記第１の反射面から離れる方向へ所定の長さで延びる第２の部位とで構成されている液晶表示装置の照明装置である。
【００１１】
請求項２に記載の発明は、請求項１に記載の液晶表示装置の照明装置において、前記第２の部位の長さが前記第１の部位の長さよりも長くなっている液晶表示装置の照明装置である。
【００１２】
請求項３に記載の発明は、請求項１または請求項２に記載の液晶表示装置の照明装置において、前記液晶表示素子は、平板状に形成されており、平板状の配線板に設置されるＬＣＤホルダを介し前記配線板と平行になるようにして、前記配線板に設置されるようになっており、前記第１の反射面は、前記配線板に設置されたＬＣＤホルダで保持されている液晶表示素子である設置済み液晶表示素子の横方向では、前記設置済み液晶表示素子の両端部から離れ、前記設置済み液晶表示素子の厚さ方向では、前記液晶表示素子と前記配線板との間で、前記設置済み液晶表示素子の縦方向では、前記液晶表示素子に沿って、前記ＬＣＤホルダに形成されており、前記第２の反射面は、前記配線板の、前記設置済み液晶表示素子に対向している面に設けられており、前記第３の反射面は、所定形状の面をこの中心線のところで所定の角度だけ曲げた山形状に形成されており、前記設置済み液晶表示素子の厚さ方向から見たときに前記中心線が前記設置済み液晶表示素子の横方向の中心線と一致し、前記設置済み液晶表示素子側に凸になるようにして、前記設置済み液晶表示素子から離れ、前記配線板に設けられており、前記光源は、前記第１の反射面の近傍で前記第１の反射面から離れて設けられている液晶表示装置の照明装置である。
【００１３】
請求項４に記載の発明は、請求項１〜請求項３のいずれか１項に記載の液晶表示装置の照明装置において、前記副反射面は、１つの前記第１の反射面に対して複数形成されている液晶表示装置の照明装置である。
【発明の効果】
【００１４】
本発明によれば、液晶表示素子での輝度ムラの発生を極力防止することができる液晶表示装置の照明装置を提供することができるという効果を奏する。
【図面の簡単な説明】
【００１５】
【図１】本発明の実施形態に係る液晶表示装置や照明装置の概略構成を示す斜視図である。
【図２】図１に示す液晶表示装置の照明装置から液晶表示素子を取り除いた状態を示す図である。
【図３】図１におけるＩＩＩ断面を示す図である。
【図４】図３におけるＩＶ部の拡大図である。
【図５】従来の照明装置が使用されている液晶表示装置が、自動車のスピードメータに設置されている状態を示す図である。
【図６】従来の液晶表示装置の概略構成を示す斜視図である。
【図７】図６におけるＶＩＩ−ＶＩＩ断面を示す図である。
【発明を実施するための形態】
【００１６】
図１は、本発明の実施形態に係る液晶表示装置５や照明装置１の概略構成を示す斜視図であり、図２は、図１に示す液晶表示装置５や照明装置１から液晶表示素子３を取り除いた状態を示す図である。図３は、図１におけるＩＩＩ断面を示す図であり、図４は、図３におけるＩＶ部の拡大図である。
【００１７】
液晶表示装置の照明装置（以下、単に「照明装置」という場合がある。）１は、液晶表示装置５に設けられている液晶表示素子３をこの背面から照明をする装置であり、ＬＥＤ７等の光源と、正反射面９と副反射面１１とを備えた第１の反射面１３と、第２の反射面１５と、第３の反射面１７とを備えている。
【００１８】
そして、ＬＥＤ７が発した光の一部が正反射面９で反射され、ＬＥＤ７が発した光の他の一部が副反射面１１で反射されるように構成されている。また、第２の反射面１５が、副反射面１１で反射した光を反射し、第３の反射面が、正反射面９で反射した光を反射して液晶表示素子３に照射すると共に、第２の反射面１５で反射した光を液晶表示素子３にたとえば、補足的に照射するように構成されている（図３や図４の矢印参照）。
【００１９】
なお、ＬＥＤ７が発した光の総てが、第１の反射面１３と第２の反射面１５とに照射されて反射されるわけではなく、ＬＥＤ７が発した光のさらなる他の一部は、第３の反射面１７やその他の部分に直接照射されるようになっている。また、詳しくは後述する遮光部１９を設けることにより、ＬＥＤ７が発した光のうちで液晶表示素子３に直接照射される光は、ほぼ「０」になる。
【００２０】
液晶表示素子３は、矩形な平板状に形成されている。また、液晶表示素子３は、平板状の配線板（ＬＥＤ７に電力を供給し液晶表示装置３に制御信号を送るための配線等が形成されている配線板）２１に設置されるＬＣＤホルダ２３を介し配線板２１と平行になるようにして、配線板２１に設置されるようになっている。
【００２１】
すなわち、配線板２１の厚さ方向と液晶表示素子３の厚さとがお互いに一致し、配線板２１が液晶表示素子３の背面から所定の距離だけ離れるようにして、液晶表示素子３が設置されるようになっている。また、配線板２１にＬＣＤホルダ２３を設置しＬＣＤホルダ２３に液晶表示素子３を設置した状態では、配線板２１とＬＣＤホルダ２３と液晶表示素子３とは、一体になっている。
【００２２】
第１の反射面１３は、ＬＣＤホルダ２３に形成されている。また、配線板２１に設置されたＬＣＤホルダ２３で保持されている液晶表示素子３である設置済み液晶表示素子３の横方向では、第１の反射面１３は、設置済み液晶表示素子３の両端部から僅かに離れている。また、設置済み液晶表示素子３の厚さ向では、第１の反射面１３は、液晶表示素子３と配線板２１との間に位置している。また、設置済み液晶表示素子３の縦方向では、第１の反射面１３は、液晶表示素子３に沿って長く設けられている。なお、第１の反射面１３は、設置済み液晶表示素子３の横方向で、設置済み液晶表示素子３の両端部に設けられているので、２箇所に設けられていることになる。
【００２３】
第２の反射面１５は、配線板２１の、設置済み液晶表示素子３に対向している面（配線板２１の厚さ方向の一方の平面）に設けられている。
【００２４】
第３の反射面１７は、たとえば、矩形な平面をこの中心線（幅方向の中心を通って縦方向に延伸している中心線）Ｃ１のところで所定の角度だけ曲げて山形にした形状にされている。そして、設置済み液晶表示素子３の厚さ方向から見たときに第３の反射面１７の中心線Ｃ１が設置済み液晶表示素子３の横方向の中心線と一致している。また、第３の反射面１７は、設置済み液晶表示素子３側に凸になるようにして、設置済み液晶表示素子３から離れ、配線板２１と設置済み液晶表示素子３との間で、配線板２１に一体的に設けられている。
【００２５】
ＬＥＤ７は、第１の反射面１３の近傍で第１の反射面１３から離れて、配線板２１に一体的に設けられている。ＬＥＤ７も、設置済み液晶表示素子３の横方向で、設置済み液晶表示素子３の両端部に設けられているので、２箇所に設けられていることになる。
【００２６】
なお、副反射面１１が、１つの第１の反射面１３に対して、１つ形成されていてもよいし、複数形成されていてもよい。ここで、１つの副反射面１１とは、１つの平面もしくは急激な折曲がりの無い１つの曲面（曲率が一定であるか滑らかに変化している１つの曲面）で形成されているものである。このことは、他の反射面についても同様である。さらには、１つの第１の反射面に対して正反射面９が複数形成されていてもよい。
【００２７】
また、この明細書では、各反射面９，１１，１３，１５，１７が平面で構成されているが、球面や円柱側面等の曲面で凹状や凸状に形成されていてもよい。
【００２８】
また、液晶表示装置５の照明装置１には、ＬＥＤ７が発した光が、設置済み液晶表示素子３に直接照射されることを防止するための遮光部１９が設けられている。遮光部１９は、たとえば、ＬＥＤ７の近くでＬＣＤホルダ２３に設けられている。
【００２９】
照明装置１についてさらに詳しく説明すると、ＬＣＤホルダ２３は、本体部２５と係止片２７と第１の反射面形成部２９と遮光部１９とを備えて構成されている。
【００３０】
本体部２５は、矩形な筒状に形成されており、この軸方向（高さ方向；図３の上下方向）の一端部側で液晶表示素子３を一体的に支持するように構成されている。なお、本体部２５で支持されている液晶表示素子３は、この厚さ方向が本体部２５の軸方向と一致するようにして、本体部２５の軸方向における一端部側（図３では上側）の開口部を塞いでいる。また、本体部２５に支持されている液晶表示素子３は、表示面が、本体部２５の軸方向の一端部側（図３では上側）に向いており、背面が、本体部２５の軸方向の他端部側（図３では下側）を向いている。
【００３１】
係止片２７は、ＬＣＤホルダ２３を配線板２１に設置するためのものであり、たとえば２つ（一対）設けられている。各係止片２７は、本体部２５の縦方向では、本体部２５の両端部で本体部２５の外周に設けられており、本体部２５の横方向では、本体部２５の中央に設けられており、本体部２５の高さ方向では、本体部２５の他端部側に突出している。各係合片２７の突出している部位は弾性を備えている。
【００３２】
配線板２１には、一対の係合片２７が入り込んで係合する一対の係合孔３１が設けられている。そして、配線板２１にＬＣＤホルダ２３を設置する途中で係合片２７が弾性変形し、ＬＣＤホルダ２３を配線板２１に設置し終えたときに、係合片２７の復元力でＬＣＤホルダ２３が配線板２１に一体的に設置されるように構成されている。
【００３３】
第１の反射面形成部２９は、本体部２５の横方向（図３では左右方向）の両端部に設けられている。したがって、すでに理解されるように、第１の反射面形成部２９は、２箇所（一対）設けられていることになる。また、第１の反射面形成部２９は、本体部２５（ＬＣＤホルダ２３）の中心を通り、本体部２５（ＬＣＤホルダ２３）の縦方向と高さ方向とに展開している平面に対して、対称に形成されている。
【００３４】
ここで、第１の反射面形成部２９に形成されている第１の反射面１３についてさらに詳しく説明する。なお、一対の第１の反射面１３は、対称になっているので、ここでは、図１〜図３で左側に位置しているものについて説明する。
【００３５】
第１の反射面形成部２９は、所定の長さ（本体部２５の縦方向の寸法とほぼ同じ長さ）と所定の幅とを備えた平板状の素材を、第１の曲げ部３３、第２の曲げ部３５、第３の曲げ部３７、第４の曲げ部３９とで所定の角度だけ曲げた形状に形成されている。なお、各曲げ部３３,３５,３７,３９は、直線状になっており、素材の幅方向でお互いが所定の間隔だけ離れて素材の長手方向（図３や図４の紙面に直交する方向）に延びている。各曲げ部３３,３５,３７,３９で素材が曲げられていることにより、細長い矩形な平板状である第１の部位４１、第２の部位４３、第３の部位４５、第４の部位４７、第５の部位４９が形成されている。
【００３６】
ＬＣＤホルダ２３の本体部２５の横方向の両端部であって本体部２５の高さ方向の他端部側（図３や図４では下側）には、矩形状の一対の切り欠き５１が形成されている。また、第１の反射面形成部２９は、前述した素材の長手方向と本体部２５の縦方向とがお互いに一致し、本体部２５の横方向の端部から突出し、本体部２５の切り欠き５１を覆うようにして、本体部２５に一体で設けられている。
【００３７】
そして、第１の部位４１は、本体部２５の切り欠き５１の底部（図３では切り欠き５１の上端）のところで本体部２５につながっていると共に、この幅方向が本体部２５の横方向と一致し、この厚さ方向が本体部２５の高さ方向と一致するようにして、本体部２５から横方向（図４では左の方向）に突出し展開している。
【００３８】
第１の部位４１につながっている第２の部位４３は、斜めに展開している。すなわち、第２の部位４３は、この幅方向や厚さ方向が、本体部２５の高さ方向や本体部２５の横方向に対して斜めに展開している。また、第２の部位４３における第１の部位４１とは反対側に位置している部位（第３の部位４５側の部位）は、本体部２５の高さ方向で、第１の部位４１側の部位よりも本体部２５の他端部側（図４では下側）に位置しており、本体部２５の横方向で、第１の部位４１側の部位よりも第１の部位４１から離れている（図４では左側に位置している）。
【００３９】
第２の部位４３につながっている第３の部位４５は、第１の部位４１と平行になっており、第３の部位４５における第２の部位４３とは反対側に位置している部位（第４の部位４７側の部位）は、本体部２５の横方向で、第２の部位４３側の部位よりも第２の部位４３から離れている。
【００４０】
第３の部位４５につながっている第４の部位４７は、第２の部位４３と同様に斜めに展開している（たとえば、第２の部位４３とほぼ平行に展開している）。そして、第４の部位４７における第３の部位４５とは反対側に位置している部位（第５の部位４９側の部位）は、本体部２５の高さ方向で、第３の部位４５側の部位よりも本体部２５の他端部側に位置しており、本体部２５の横方向で、第３の部位４５側の部位よりも第３の部位４５から離れている。
【００４１】
第４の部位４７につながっている第５の部位４９は、この幅方向が本体部２５の高さ方向と一致し、この厚さ方向が本体部２５の横方向と一致している。また、第５の部位４９における第５の部位４９とは反対側に位置している部位（図４では下端）は、本体部２５の高さ方向で、本体部２５の他端部と同じところに位置している。すなわち、切り欠き５１が設けられていない本体部２５の他端部（本体部２５の高さ方向における他端部）と、第５の部位４９における第４の部位４７とは反対側に位置している端部（図３や図４における下端部）とは同一平面上に位置している。
【００４２】
なお、第２の部位４３の幅と第４の部位４７との幅とは、たとえば、お互いがほぼ等しくなっていると共に、第１の部位４１の幅や第３の部位４５の幅や第５の部位４９の幅よりも大きくなっている。また、第１の反射面形成部２９の長手方向（素材の長手方向；本体部２５では縦方向）における両端部には、三角形状の一対の壁部材５３が設けられている。
【００４３】
そして、液晶表示素子３が設置されているＬＣＤホルダ２３を配線板２１に設置した状態では、ＬＣＤホルダ２３と液晶表示素子３と配線板２１とで、ほぼ閉じた空間５５が形成されるようになっている。空間５５は、本体部２５の内部空間（矩形状の内部空間）５７と第１の反射面形成部２９の一対の内部空間（三角柱状の内部空間）５９とで構成されており、空間５７と空間５９とは、本体部２５に設けられている切り欠き５１のところでお互いがつながっている。
【００４４】
また、液晶表示素子３が設置されているＬＣＤホルダ２３を配線板２１に設置した状態では、液晶表示素子３の厚さ方向とＬＣＤホルダ２３（ＬＣＤホルダの本体部２５）の高さ方向と配線板２１の厚さ方向と照明装置１の高さ方向とがお互いに一致しており、液晶表示素子３の横方向とＬＣＤホルダ２３の本体部２５の横方向と配線板２１の横方向と照明装置１の横方向とがお互いに一致しており、液晶表示素子３の縦方向とＬＣＤホルダ２３の本体部２５の縦方向と配線板２１の縦方向と照明装置１の縦方向とがお互いに一致している。
【００４５】
第３の反射面１７は、第３の反射面形成部材６１により形成されている。第３の反射面形成部材６１は、所定の長さ（本体部２５の縦方向の寸法とほぼ同じ長さ）と所定の幅（本体部２５の横方向の寸法よりも短い幅）とを備えた平板状の素材を、曲げ部で所定の角度だけ曲げた形状であって頂角が１８０°に近い鈍角である「Ｖ」形状に形成されている。なお、曲げ部は、直線状の曲げ線Ｃ１であり、曲げ線Ｃ１は、素材の幅方向の中央部で、素材の長手方向に延びている。曲げ部で素材が曲げられていることにより、第１の部位６３、第２の部位６５が形成されている。そして、第１の反射面形成部２９と同様に対称になっている。
【００４６】
第３の反射面形成部材６１は、たとえば接着剤を用いて配線板２１に一体的に設けられている。第３の反射面形成部材６１が、配線板（液晶表示素子３が設置されているＬＣＤホルダ２３が設置されている配線板）２１に設置されている状態では、第３の反射面形成部材６１は、内部空間５５内に存在しており、液晶表示素子３側に凸になっている。また、ＬＣＤホルダ２３の高さ方向から見た場合、第３の反射面形成部材６１の曲げ線Ｃ１が、ＬＣＤホルダ２３（液晶表示素子３）の中心を通り、ＬＣＤホルダ２３の縦方向に延伸している。さらに、第３の反射面形成部材６１は、内部空間５５（内部空間５７）の縦方向の全長にわたって存在している。
【００４７】
配線板２１の厚さ方向の一方の面（ＬＣＤホルダ２３が設置されたときに、ＬＣＤホルダ２３の本体部２５や液晶表示素子３が位置している側の面）には、白色の印刷（たとえば、シルクスクリーン印刷）６７がされている。そして白色の印刷がされている面が第２の反射面１５になっている。これにより、光がたとえば乱反射されるようになっている。
【００４８】
また、第１の反射面形成部２９における内側の面や、第３の反射面形成部材６１の凸側の面（液晶表示素子３に面している面）にも、同様にして白色の印刷がされている。なお、本体部２５の内側の面の全面や、遮光部１９の各部位６９,７１の表面の全面に白色の印刷がされていてもよい。すなわち、ＬＣＤホルダ２３の内側の全面に白色の印刷がされていてもよい。さらには、第１の反射面形成部２９における内側の面や、第３の反射面形成部材６１の凸側の面や、遮光部１９の表面の少なくともいずれかが、鏡面状に形成されていてもよい。
【００４９】
そして、第１の反射面形成部２９の内側の面のうちで第２の部位４３に形成されている面が、第１の反射面１３の正反射面９を形成しており、第１の反射面形成部２９の内側の面のうちで第４の部位４７に形成されている面が、副反射面１１を形成している。また、第３の反射面形成部材６１の凸側の面が、第３の反射面１７を形成している。
【００５０】
なお、第１の反射面形成部２９の内側の面のうちの第４の部位４７の面に加えて、第１の反射面形成部２９の内側の面のうちの第１の部位４１の面、第１の反射面形成部２９の内側の面のうちの第４の部位４７の面、第１の反射面形成部２９の内側の面のうちの第５の部位４９の面のうちの少なくともいずれかの面が、副反射面１１を形成している構成であってもよい。これにより、副反射面１１が、１つの第１の反射面１３について複数形成されていることなる。
【００５１】
ＬＥＤ７は、第１の反射面形成部２９と同様にして対称に配置されており、第１の反射面形成部２９で形成されている内部５９空間の内側で、配線板２１に設けられており、主に第１の反射面形成部２９（第１の反射面形成部２９の内面）に向かって光（たとえば、白色光）を発するようになっている。ＬＥＤ７は、第１の反射面形成部２９の縦方向（図４の紙面に直交する方向）では、第１の反射面形成部２９の中央部に１つ設けられている（照明装置１全体では２つ）が、第１の反射面形成部２９の縦方向で、所定に間隔をあけて、複数個のＬＥＤ７が設けられていてもよい。
【００５２】
遮光部１９は、所定の長さと所定の幅とを備えて板状に形成された第１の部位６９と、所定の長さと所定の幅とを備えて板状に形成された第２の部位７１とで構成されている。なお、遮光部１９も、第１の反射面形成部２９と同様に対称に設けられている。
【００５３】
遮光部１９の第１の部位６９は、この長手方向（図４の紙面に直交する方向）がＬＣＤホルダ２３の本体部２５の縦方向と一致し、この幅方向がＬＣＤホルダ２３の本体部２５の高さ方向と一致するようにして、ＬＣＤホルダ２３の本体部２５の切り欠き５１の底部から、ＬＣＤホルダ２３の本体部２５の高さ方向に（図４の上から下に向かって）展開している。遮光部１９の第１の部位６９が設けられていることにより、切り欠き５１の実際の幅寸法（切り欠き５１の深さ；ＬＣＤホルダ２３の本体部２５の高さ方向における切り欠き５１の寸法）が小さくなっている。
【００５４】
遮光部１９の第２の部位７１は、この長手方向（図４の紙面に直交する方向）がＬＣＤホルダ２３の本体部２５の縦方向と一致し、この幅方向がＬＣＤホルダ２３の本体部２５の横方向と一致するようにして、ＬＣＤホルダ２３の本体部２５の切り欠き５１の底部から、ＬＣＤホルダ２３の中心側に展開している（図４の左から右に向かって展開している）。これにより、遮光部１９の第２の部位７１が設けられている部位では、ＬＣＤホルダ２３の本体部２５の横方向の内寸が小さくなっている（一対の第２の部位７１により第２の部位７１の幅寸法の２倍だけ小さくなっている）。
【００５５】
次に、照明装置１における主な光路について説明する。
【００５６】
図３に矢印で示すように、ＬＥＤ７が発した光が、正反射面９で反射される。正反射面９で反射された光は、第３の反射面１７に向かって進み第３の反射面１７で反射される。第３の反射面１７で反射された光は、液晶表示素子３に照射される。
【００５７】
また、図４に矢印で示すように、ＬＥＤ７が発した光が、副反射面１１で反射される。副反射面１１で反射された光は、第２の反射面１５に向かって進み第２の反射面１５で反射される。第２の反射面１５で反射された光は、第３の反射面１７に向かって進み第３の反射面１７で反射される。第３の反射面１７で反射された光は、液晶表示素子３にたとえば補助的に照射される。
【００５８】
なお、上記説明は、主な光の光路を示したものであり、より精確には、図３や図４に矢印で示した光以外の光も存在する。
【００５９】
照明装置１によれば、第１の反射面１３を正反射面９と副反射面１１とに分け、正反射面９や副反射面１１で反射された光を、第２の反射面１５や第３の反射面１７を介して、液晶表示素子３に照射することにより、液晶表示素子３における輝度の低下を防ぎつつ液晶表示素子３での輝度ムラの発生を極力防止することができる。
【００６０】
また、照明装置１において、副反射面１１を１つの第１の反射面１３に対して複数形成すれば、液晶表示装置３に照射される光が一層均一になるような調整を容易に行うことができる。
【００６１】
また、照明装置１によれば、ＬＥＤ７が発した光が液晶表示素子３に直接照射されることを防止するための遮光部１９を設けてあるので、液晶表示素子３に照射される光が一層均一になるように光量が調整され、液晶表示素子３における輝度ムラの発生を一層抑制することができる。
【符号の説明】
【００６２】
１  照明装置
３  液晶表示素子
５  液晶表示装置
７  ＬＥＤ（光源）
９  正反射面
１１  副反射面
１３  第１の反射面
１５  第２の反射面
１７  第３の反射面
１９  遮光部
２１  配線板
２３  ＬＣＤホルダ
【図１】
0005603573.tif 000002
【図２】
0005603573.tif 000003
【図３】
0005603573.tif 000004
【図４】
0005603573.tif 000005
【図５】
0005603573.tif 000006
【図６】
0005603573.tif 000007
【図７】
0005603573.tif 000008